【手続補正書】
【提出日】平成25年9月9日(2013.9.9)
【手続補正１】
【補正対象書類名】明細書
【補正対象項目名】０００７
【補正方法】変更
【補正の内容】
【０００７】
本発明の課題は、従来の発明の改良であって、前ウエスト域の一部を内側又は外側に折り返すことによって比較的容易にサイズ調整ができるとともに、折曲の前後において吸収性コアの凹曲部の形状を変えることによって吸収性コアを着用者の脚回りにフィットさせることのできる使い捨て着用物品の提供にある。
【手続補正２】
【補正対象書類名】明細書
【補正対象項目名】０００８
【補正方法】変更
【補正の内容】
【０００８】
前記課題を解決するために、本発明が対象とするのは、縦軸及び横軸を有し、前ウエスト域と、後ウエスト域と、前記前後ウエスト域間において延びるクロッチ域と、前記クロッチ域から前記前後ウエスト域へ延びる吸収性コアとを有する物品本体と、前記前後ウエスト域の両側縁部どうしを互いに連結するファスニングシステムとを含む使い捨て着用物品である。
【手続補正３】
【補正対象書類名】明細書
【補正対象項目名】０００９
【補正方法】変更
【補正の内容】
【０００９】
本発明の特徴とするところは、前記吸収性コアは、前記縦軸の方向へ直状に延びる直状部と前記クロッチ域の中央部において前記縦軸へ向かって凹曲する凹曲部とを有する両側縁と、前記前ウエスト域又は前記前ウエスト域側のクロッチ域において前記横軸の方向へ延びる第１折曲案内部と、前ウエスト域側の前記クロッチ域かつ前記両側縁の内側において前記縦軸に関して対称に位置する一対の第２折曲案内部と、前記後ウエスト域側の前記クロッチ域かつ前記両側縁の内側において前記縦軸に関して対称に位置する一対の第３折曲案内部とを有し、前記第１折曲案内部に沿ってそれよりも前記縦軸の外方へ延びる部分を前記物品本体の内外方へ折曲可能であって、前記吸収性コアの両側縁と前記第２折曲案内部との間および前記吸収性コアの両側縁と前記第３折曲案内部との間には、それぞれ、前記物品本体の内外方に折り曲げ可能な第１折曲域と第２折曲域とが画成されている。
【手続補正４】
【補正対象書類名】明細書
【補正対象項目名】００１１
【補正方法】変更
【補正の内容】
【００１１】
本発明の実施態様の一つとして、前記第１及び第２折曲域の内側縁は前記縦軸に対して凸曲する形状を有し、かつ、前記第１及び第２折曲域の外側縁は前記縦軸に対して凹となる形状を有する。
【手続補正５】
【補正対象書類名】明細書
【補正対象項目名】００１３
【補正方法】変更
【補正の内容】
【００１３】
本発明の実施態様の一つとして、前記吸収性コアの前記第１折曲域と前記第２折曲域との間において前記縦軸の方向へ延びる弾性要素が配置されている。
【手続補正６】
【補正対象書類名】明細書
【補正対象項目名】００１４
【補正方法】変更
【補正の内容】
【００１４】
本発明の実施態様の一つとして、前記物品本体の肌対向面において、前記前ウエスト域の前記前端縁に沿って延びる第１装飾ラインと、前記第１凹曲ラインに沿って延びる第２装飾ラインと、前記第１折曲案内部の略中央部において前記横軸の方向へ延びる第３装飾ラインと、前記第２凹曲ラインに沿って延びる第４装飾ラインとが形成されており、前記第１及び第２装飾ラインには同一の装飾が施されており、前記第３及び第４装飾ラインには、前記第１及び第２装飾ラインとは異なる装飾が施されている。
【手続補正７】
【補正対象書類名】明細書
【補正対象項目名】００１５
【補正方法】変更
【補正の内容】
【００１５】
本発明によれば、吸収性コアの第１折曲案内部に沿ってそれよりも縦軸の外方へ延びる部分を物品本体の内外に折り曲げることができ、また、第２折曲案内部と第３折曲案内部とに沿って第１折曲域と第２折曲域とを内外に折り曲げることができるので、吸収性コアの両側縁の凹曲部の形状を着用物品の着用形態に合せて変えることができる。
【手続補正８】
【補正対象書類名】明細書
【補正対象項目名】００１６
【補正方法】変更
【補正の内容】
【００１６】
【図１】本発明の第１実施形態における使い捨て着用物品の一例としての使い捨ておむつの斜視図。
【図２】おむつを前後方向に伸展した状態のその内面から見た一部破断展開平面図。
【図３】バリアシートを取り除き、吸収性コアのみを実線で示した展開平面図。
【図４】図１のＩＩＩ−ＩＩＩ線断面図。
【図５】おむつの他の着用状態における斜視図。
【図６】（ａ）〜（ｃ）第１着用形態におけるおむつの着用状態を示す図。
【図７】（ａ）〜（ｃ）第２着用形態におけるおむつの着用状態を示す図。
【図８】本発明の第２実施形態におけるおむつの展開平面図。
【図９】本発明の第３実施形態におけるおむつの展開平面図。
【図１０】本発明の第４実施形態におけるおむつの斜視図。
【図１１】第４実施形態におけるおむつの着用形態を示す図。
【図１２】第４実施形態におけるおむつの展開平面図。
【手続補正９】
【補正対象書類名】明細書
【補正対象項目名】００１７
【補正方法】変更
【補正の内容】
【００１７】
＜第１実施形態＞
図１及び２に示すとおり、使い捨ておむつ１０は、縦軸Ｐ及び横軸Ｑを有し、肌当接面側及びそれに対向する非肌当接面側と、前ウエスト域１１と、後ウエスト域１２と、前後ウエスト域１１，１２間に位置するクロッチ域１３を備えるおむつ本体１４と、おむつ本体１４の後ウエスト域１２の両側縁１２ａ，１２ｂから横軸Ｑの方向の外方へ延びる一対のテープファスナタブ１５，１６とを含む。テープファスナタブ１５，１６の肌対向面には、メカニカルファスナのフック群から形成された第１ファスニング要素１７が配置されている。また、前ウエスト域１１の外面には、テープファスナタブ１５，１６の第１ファスニング要素１７を脱離可能に止着するための、横軸Ｑの方向へ延びるメカ二カルファスナのループ群から形成された第２ファスニング要素１８がホットメルト接着剤（図示せず）を介して取り付けられている。
【手続補正１０】
【補正対象書類名】明細書
【補正対象項目名】００１９
【補正方法】変更
【補正の内容】
【００１９】
トップシート２０は、質量が１５〜５０ｇ／ｍ２、好ましくは、２０〜３０ｇ／ｍ２、繊維密度が０．０１〜０．０４ｇ／ｃｍ３、好ましくは、０．０２５〜０．０３５ｇ／ｃｍ３の範囲である、エアスルー繊維不織布やスパンボンド繊維不織布から形成されている。また、バックシート２１は、質量が１０〜４０ｇ／ｍ２、好ましくは、１５〜３０ｇ／ｍ２、繊維密度が０．０６〜０．１ｇ／ｃｍ３、好ましくは、０．０７〜０．０９ｇ／ｃｍ３の範囲である、スパンボンド不織布、ポイントボンド不織布、ＳＭＳ不織布などから形成されている。
【手続補正１１】
【補正対象書類名】明細書
【補正対象項目名】００２３
【補正方法】変更
【補正の内容】
【００２３】
第１折曲案内部２７は、縦軸Ｐの方向において所要寸法の幅を有する凹状溝であって、縦軸Ｐの方向における長さ寸法Ｌ１は、後記の本発明の効果を有するために、好ましくは、１．０〜１５．０ｍｍ、さらに好ましくは、５．０〜１０．０ｍｍである。第１折曲案内部２７は、おむつ本体１４の外面に位置する第２ファスニング要素１８の下側縁１８ａと重なる位置に形成されており、おむつ本体１４の外面における第１折曲案内部２７に対応する部位、すなわち、第２ファスニング要素１８の下側縁１８ａ上及びその近傍には、おむつ１０の外面視において第１折曲案内部２７の位置を確認することのできる折曲案内表示部２８が形成されている（図１参照）。折曲案内表示部２８は、着用者及び着用補助者が第１折曲案内部２７の位置を容易に視認できるように、第２ファスニング要素１８とは異なる色彩を施すことによって形成してもよいし、テープ片を貼付することによって形成してもよい。
【手続補正１２】
【補正対象書類名】明細書
【補正対象項目名】００２６
【補正方法】変更
【補正の内容】
【００２６】
吸収性コア２２の各寸法等は、この種のおむつ１０に通常用いられるものとほぼ同等であるが、好ましい実施態様として、横軸Ｑの方向における幅寸法Ｗ１は約１００〜１１０ｍｍ，前ウエスト域１１の縦軸Ｐの方向における長さ寸法Ｌ２は、約７０〜９０ｍｍである。また、両側縁２２ｃ，２２ｄにおける第２折曲案内部３０の前端３０ａから第１屈曲部位２５までの縦軸Ｐの方向における長さ寸法Ｌ３は約３０．０ｍｍ、第２屈曲部位２６から第３折曲案内部３１の後端３１ｂまでの縦軸Ｐの方向における長さ寸法Ｌ４は、約３０．０ｍｍである。また、第１折曲案内部２７の横軸Ｑの方向へ延びる中央ライン２７ａから前ウエスト域１１の前端縁１１ａまでの縦軸Ｐの方向における長さ寸法Ｌ５は約６０ｍｍ、第１折曲域３２の縦軸Ｐの長さ寸法Ｌ６は約６５ｍｍ、第２折曲域３３の縦軸Ｐの方向における長さ寸法Ｌ７は約７５ｍｍである。
【手続補正１３】
【補正対象書類名】明細書
【補正対象項目名】００３２
【補正方法】変更
【補正の内容】
【００３２】
前端部４２のトップシート２０の肌対向面には、第１ファスニング要素１７が係止可能であって、かつ、トップシート２０にエンボス加工を施すことによって形成された第３ファスニング要素５７が設けられている。第３ファスニング要素５７は、縦軸Ｐ及び横軸Ｑに関して斜めに延びる複数本の第１及び第２凹状ライン５８，５９が格子状に交差してなるものであって、第１及び第２凹状ライン５８，５９の形状、大きさ及び互いの交差角度等は、適宜自由に選択することができる。なお、第１ファスニング要素１７との所要の係止強度を有する限りにおいて、第３ファスニング要素５７は、エンボス加工のされていない、この種の物品に通常使用されているエアスルー不織布、スパンボンド不織布等からなるトップシートの一部によって形成されていてもよい。
【手続補正１４】
【補正対象書類名】明細書
【補正対象項目名】００４４
【補正方法】変更
【補正の内容】
【００４４】
図３に示すとおり、第２着用形態においては、第１折曲案内部２７に沿って外側に折り曲げる前ウエスト域１１の部位の縦軸Ｐの方向における長さ寸法Ｌ５が、約６０ｍｍであることによって、そのおむつの着用状態では、吸収性コア２２が前後方に約３０ｍｍずつずれて位置するところ、第２折曲ライン３５の前端３５ａ（第１屈曲部位２５）は、第１折曲ライン３４の前端（第２折曲案内部３０の前端３０ａ）よりも約３０ｍｍ後方に位置し、かつ、その最狭部位３７は第１凹曲ライン３４の最狭部位３６よりも約３０ｍｍ後方に位置することによって、折曲後の凹曲部２４の位置が着用者の鼠径部の位置に合うように調整されている。また、第１及び第２折曲域３２，３３の縦軸Ｐの方向における長さ寸法Ｌ６，Ｌ７が、外側に折曲する部位の長さ寸法Ｌ５よりも大きいことから、該部位が折り曲げられて吸収性コア２２の位置がずれても、その位置ずれに合せて両側縁２２ｃ，２２ｄの形状を変形できる。
【手続補正１５】
【補正対象書類名】明細書
【補正対象項目名】００５４
【補正方法】変更
【補正の内容】
【００５４】
図１１及び図１２に示すように、本実施形態のおむつ１０の前ウエスト域１１は、第１折曲案内部２７から上方に位置する上側域１１Ａとその下方に位置する下側域１１Ｂとに区分されており、第１折曲案内部２７に沿って前ウエスト域１１の上側域１１Ａを下側域１１Ｂの肌対向面に向かって内方へ折曲して、テープファスナタブ１５，１６の第１ファスニング要素１７を第３ファスニング要素５７に止着することによって、前ウエスト域１１の一部を内側の折り曲げた状態のままおむつ１０を着用することができる。よって、本実施形態においても、図１０に示す第１着用形態と、図１１に示す第２着用形態とを選択的に使用することができる。
【手続補正１６】
【補正対象書類名】明細書
【補正対象項目名】００５７
【補正方法】変更
【補正の内容】
【００５７】
１０    使い捨て着用物品（使い捨ておむつ）
１１    前ウエスト域
１１ａ  前ウエスト域の前端縁
１２    後ウエスト域
１３    クロッチ域
１４    おむつ本体
１５，１６  テープファスナタブ
１７    第１ファスニング要素
１８    第２ファスニング要素
２２    吸収性コア
２２ｃ，２２ｄ  両側縁
２３    直状部
２４    凹曲部
２７    第１折曲案内部
２７ａ  第１折曲案内部の中央部
３０    第２折曲案内部
３１    第３折曲案内部
３２    第１折曲域
３３    第２折曲域
３４    第１凹曲ライン
３５    第２凹曲ライン
６３    弾性要素
７０    第１装飾ライン
７１    第２装飾ライン
７２    第３装飾ライン
７３  第４装飾ライン
Ｌ３  第１折曲域の外側縁の一部における長さ寸法
Ｌ４  第２折曲域の該側縁の一部における長さ寸法
Ｌ５  第１案内部の中央部から前ウエスト域の前端縁までの長さ寸法
Ｌ６  第１折曲域の縦軸の方向における長さ寸法
Ｌ７  第２折曲域の縦軸の方向にける長さ寸法
Ｐ  縦軸
Ｑ  横軸
【手続補正１７】
【補正対象書類名】特許請求の範囲
【補正対象項目名】請求項１
【補正方法】変更
【補正の内容】
【請求項１】
縦軸及び横軸を有し、前ウエスト域と、後ウエスト域と、前記前後ウエスト域間において延びるクロッチ域と、前記クロッチ域から前記前後ウエスト域へ延びる吸収性コアとを有する物品本体と、前記前後ウエスト域の両側縁部どうしを互いに連結するファスニングシステムとを含む使い捨て着用物品において、
前記吸収性コアは、前記縦軸の方向へ直状に延びる直状部と前記クロッチ域の中央部において前記縦軸へ向かって凹曲する凹曲部とを有する両側縁と、前記前ウエスト域又は前記前ウエスト域側のクロッチ域において前記横軸の方向へ延びる第１折曲案内部と、前ウエスト域側の前記クロッチ域かつ前記両側縁の内側において前記縦軸に関して対称に位置する一対の第２折曲案内部と、前記後ウエスト域側の前記クロッチ域かつ前記両側縁の内側において前記縦軸に関して対称に位置する一対の第３折曲案内部とを有し、
前記第１折曲案内部に沿ってそれよりも前記縦軸の外方へ延びる部分を前記物品本体の内外方へ折曲可能であって、
前記吸収性コアの両側縁と前記第２折曲案内部との間および前記吸収性コアの両側縁と前記第３折曲案内部との間には、それぞれ、前記物品本体の内外方に折り曲げ可能な第１折曲域と第２折曲域とが画成されていることを特徴する前記使い捨て着用物品。
【手続補正１８】
【補正対象書類名】特許請求の範囲
【補正対象項目名】請求項６
【補正方法】変更
【補正の内容】
【請求項６】
前記物品本体の肌対向面において、前記前ウエスト域の前記前端縁に沿って延びる第１装飾ラインと、前記第２折曲案内部に沿って延びる第２装飾ラインと、前記第１折曲案内部の略中央部において前記横軸の方向へ延びる第３装飾ラインと、前記第３折曲案内部に沿って延びる第４装飾ラインとが形成されており、前記第１及び第２装飾ラインには同一の装飾が施されており、前記第３及び第４装飾ラインには、前記第１及び第２装飾ラインとは異なる装飾が施されている請求項１〜５のいずれかに記載の使い捨て着用物品。